(57)【要約】【課題】台所のレンジで調理時に発生する油煙や蒸気、排気ガス等の汚染空気を屋外へ排気する換気装置において、多くの汚染空気が発生する時に、室内に汚染空気を拡散させることなく、効率よく捕集し屋外に排出することを目的とする。【解決手段】汚染空気を排出する排気用ファン６を収納し、下方と前方が開放したフード本体２と、フード本体２の前面開口部に設けた前面パネル１１と、フード本体２内の風路を仕切る仕切板１４とを備えることで、多くの汚染空気が発生するに、室内に汚染空気を拡散させることなく、効率よく汚染空気を捕集し屋外に排出する換気装置が得られる。【選択図】図１
2011085362.tif 000002
【特許請求の範囲】
【請求項１】
調理時に発生する油煙や排気ガス等を排出する排気用ファンを収納し、下方に下部開口部と前方に前部開口部とを設けたフード本体と、前記前部開口部に上部を軸止し下部が開閉するように設けた前面パネルと、前記前部開口部の前記フード本体内側に第二の風路を形成するように設けた仕切板とを備えた換気装置。
【請求項２】
上記フード本体内で上記排気用ファンの吸込口を囲うように、上記下部開口部と上記前部開口部に対向したグリスフィルターを設けたことを特徴とする請求項１記載の換気装置。
【請求項３】
上記前面パネルの両側に側板を設けたことを特徴とする請求項１記載の換気装置。
【請求項４】
上記前面パネルに透明な材料を用いたことを特徴とする請求項１記載の換気装置。
【請求項５】
上記フード本体と上記前面パネルに、前記前面パネルのロック手段を設けたことを特徴とする請求項１記載の換気装置。
【請求項６】
上記前面パネルは開閉用取手部分を有し、この開閉用取手部分が断熱手段を有することを特徴とする請求項１記載の換気装置。
【請求項７】
上記仕切板が上記フード本体内に回動したときに前記仕切板を保持するストッパーを備え、前記ストッパーの位置を前後スライド自在にした請求項１記載の換気装置。
【請求項８】
上記フード本体の天面前方に副吸込口を設けたことを特徴とする請求項１記載の換気装置。
【発明の詳細な説明】
【技術分野】
【０００１】
本発明は、台所のレンジで調理時に発生する油煙や蒸気、排気ガス等の汚染空気を屋外へ排気する換気装置に関するものである。
【背景技術】
【０００２】
従来、この種の換気装置は、台所のレンジ上方に配置され、レンジで発生した汚染空気を排気用ファンによって吸引し、排気ダクトを介して屋外に排出している。その時、換気装置の張り出し寸法は、調理作業に邪魔にならないような寸法にしているが、煙の発生が多い調理時にもその煙を捕集するように、換気装置の前面に可動式の煙捕集カバーを設けることが知られている（例えば、特許文献１参照）。
【０００３】
以下その換気装置について、図４を参照しながら説明する。
【０００４】
図４に示すように、排気用ファン１０２とフード本体１０１で構成する換気装置の前記フード本体１０１の前面に可動式の煙捕集カバー１０３を設けるともに、この煙捕集カバー１０３がフード本体１０１よりも前方に張り出す構成とし、多くの煙が発生する調理の時に、煙捕集カバー１０３を前方に張り出すことにより、フード本体１０１の下面の面積を前方に広げて煙の捕集面積を増やし、煙の捕集量を上げるものであった。      
【先行技術文献】
【特許文献】
【０００５】
【特許文献１】特開２０００−９７４６２号公報
【発明の概要】
【発明が解決しようとする課題】
【０００６】
このような従来の換気装置においては、排気用ファン１０２の吸込み口１０４がフード本体１０１の後方に位置するため、フード本体１０１の下面の前方に設けられた煙捕集カバー１０３までの距離が遠いので、煙捕集カバー１０３近傍においては吸込み風速が減少する。そのため、多くの煙が発生する調理の時に、レンジからの熱で起こる上昇気流に乗った煙が上記煙捕集カバー１０３に当たっても、吸込み風速が不足して排気用ファン１０２に吸込まれず、フード本体１０１から漏れることがあるという課題を有していた。
【０００７】
そこで本発明は、上記従来の課題を解決するものであり、煙捕集カバーを前方に張り出しても煙が漏れず、レンジの汚染空気を屋外に排出できる換気装置を提供することを目的とする。
【課題を解決するための手段】
【０００８】
そして、この目的を達成するために、本発明は、調理時に発生する油煙や排気ガス等の汚染空気を排出する排気用ファンを収納し、下方に下部開口部と前方に前部開口部を設けたフード本体と、前記前部開口部に上部を軸止し下部が開閉するように設けた前面パネルと、前記前部開口部の前記フード本体内側に下部を軸止し上部が開閉するように設けた仕切板とを備えることにしたものである。これにより、所期の目的を達成するものである。
【発明の効果】
【０００９】
本発明によれば、台所のレンジ上方にあり、調理ガスを排出する排気用ファンを収納し下方に下部開口部と前方に前部開口部を設けたフード本体と、前記前部開口部に上部を軸止し下部が開閉するように設けた前面パネルと、前記前部開口部の前記フード本体内側に下部を軸止し上部が開閉するように設けた仕切板とを備えた構成により、多くの煙が発生する調理の時に前面パネルを開け、仕切り板をフード本体内に倒すと、前部開口部からの吸い込み風路が形成され、フード本体前方の吸い込み風速が低下せず、前面パネルで捕集した汚染空気が外に漏れないという効果を得ることができる。
【図面の簡単な説明】
【００１０】
【図１】（ａ）本発明の実施の形態１の換気装置の設置正面半断面図、（ｂ）同Ａ−Ａ断面図
【図２】本発明の本発明の換気装置の前面パネルと仕切板の取付模式図
【図３】本発明の実施の形態２の換気装置の設置側面断面図
【図４】従来のレンジフードの図
【発明を実施するための形態】
【００１１】
本発明の請求項１記載の換気装置は、台所のレンジ上方にあり、調理ガスを排出する排気用ファンを収納し、下方に下部開口部と前方に前部開口部を設けたフード本体と、前記前部開口部に上部を軸止し下部が開閉するように設けた前面パネルと、前記前部開口部の前記フード本体内側に下部を軸止し上部が開閉するように設けた仕切板とを備えたという構成を有する。これにより、多くの煙が発生する調理の時に前面パネルを開け、仕切り板をフード本体内に倒すと、前部開口部からの吸い込み風路が形成され、フード本体前方の吸い込み風速が低下せず、前面パネルで捕集された煙が仕切板で形成された風路を通り、排気用ファンに吸込まれて屋外に排出されることになるので、多くの汚染空気が発生する調理の時でも、前面パネルで捕集した汚染空気が外に漏れないという効果を奏する。
【００１２】
また、フード本体内で排気用ファンの吸い込み口の前を囲うように、下部開口部と前部開口部に対向したグリスフィルターを設けたものである。これにより、フード本体内に入った油煙の油がグリスフィルターで捕集され、排気用ファンに油が付かず性能を確保するとともに、グリスフィルターの油煙を捕集する機構が通風抵抗となり、グリスフィルターの通風面で吸込風速が均一化されてフード本体内の前部開口部側からも汚染空気を吸い込み、前面パネルで捕集した汚染空気が外に漏れないという効果を奏する（請求項２）。
【００１３】
また、前面パネルの両側に側板を設けたものである。これにより、前面パネルを開けた時に前面パネルに当たった煙が前面パネルの側面から拡散せず、捕集した汚染空気が外に漏れないという効果を奏する（請求項３）。
【００１４】
また、前面パネルに透明な材料を用いたものである。これにより、調理している時、前面パネルを開けても、前面パネルを通して料理の状態を確認出来るという効果も奏する（請求項４）。
【００１５】
また、上記フード本体と上記前面パネルに、前記前面パネルのロック手段を設けたものである。これにより、前面パネルを閉じた時、前面パネルを確実に固定でき、排気用ファンの振動によるガタツキ音を無くすという効果を奏する（請求項５）。
【００１６】
また、前面パネルは開閉用取手部分を有し、この開閉用取手部分が断熱手段を有するものである。これにより、レンジを使用している最中に、調理の熱により、前面パネルが熱せられていても、開閉用取手部分の温度上昇が抑えられるので、比較的熱くなく取手を持つことができ、安全に前面パネルを開閉できるという効果も奏する（請求項６）。
【００１７】
また、仕切板がフード本体内に倒れたときに保持するストッパーを備え、このストッパーの位置を前後スライド自在にしたものである。これにより、ストッパー位置を変えることで仕切板の倒れる傾きが変わり、前方からの吸引風量を調節することができ、調理形態に合わせて汚染空気の捕集性能調整できるという効果を有する（請求項７）。
【００１８】
また、フード本体の天面の前側に副吸込み口を設けたものである。これにより、レンジからの汚染空気がフード本体から漏れても、この副吸込み口から吸引されるので、捕集した汚染空気が外に漏れないという効果を奏する（請求項８）。
【００１９】
以下、本発明の実施の形態について、図面を参照しながら説明する。
【００２０】
（実施の形態１）
図１は、本発明の実施の形態１の換気装置の設置正面半断面図である。
【００２１】
図１に示すように、換気装置１のフード本体２の下方に下部開口部３と前方に前部開口部４を設け、このフード本体２内には吸込口５を有する排気用ファン６を配置するとともに、ラスメタルを複数重ねて製作されたグリスフィルター７を配設している。このグリスフィルター７は、断面が略Ｌ字型となる２つの面で構成されていて、その一端はフード本体２の後部内壁に保持され、もう一端はフード本体２の上部内壁に保持されている。グリスフィルター７の第一構成面７ａは下部開口部３に対向して下部開口部３と吸込口５の間に位置し、グリスフィルター７の第二構成面７ｂは前部開口部４に対向して前部開口部４と排気用ファン６の間に位置している。フード本体２に保持されていない左右の両側端はフード本体２の両側面の内壁に接し、吸込口５を囲っている。
【００２２】
そして、フード本体２の下側から下部開口部３を通り、グリスフィルター７を経て排気用ファン６の吸込口５に至る第一の風路８が形成され、この排気用ファン６の吐出部にはアダプタ９を設け、このアダプタ９に屋外と連通する排気ダクト１０を接続する。
【００２３】
フード本体２の前部開口部４には前面パネル１１を設ける。この前面パネル１１は平板状のもので、前面パネル１１の両側の上部に設けた回転軸Ａ１２でフード本体２に開閉自在に軸止し、回転軸Ａ１２により回動してフード本体２の前方に開く構成としている。また、前面パネル１１の両側面には、この前面パネル１１を閉じたときにフード本体２内に収納され、前面パネル１１を開けたときにフード本体２の前方の両側に生じる隙間を覆う側板１３を設けている。
【００２４】
さらに、前部開口部４の前面パネル１１の後方のフード本体２内に仕切板１４を設ける。この仕切板１４もまた平板状のもので、仕切板１４の両側の下部に設けた回転軸Ｂ１５でフード本体２に開閉自在に軸止してあり、前面パネル１１と重ねて配置している。この仕切板１４がほぼ直立している状態では、自重で倒れるように少しフード本体２内側に傾けておく。あるいは、コイルバネ（図示せず）を回転軸Ｂ１５に設置し、倒れるようにしておく。
【００２５】
そして、フード本体２にはストッパー１６を設け、仕切板１４が回転軸Ｂ１５により回動してフード本体２側に倒れたときにこのストッパー１６で保持し、フード本体２の下部開口部３の一部を覆うとともに、仕切板１４の上辺１７がグリスフィルター７の近傍に位置するようにする。ストッパー１６はゴム等で作成し、仕切板１４が倒れてあたったときの緩衝機能を持たせる。仕切板１４が倒れると、フード本体２の内部に前部開口部４からグリスフィルター７を経て排気用ファン６の吸込口５に至る第二の風路１８が形成される。
【００２６】
フード本体２の前面にはまた、換気装置１の運転を制御するスイッチ操作部１９を配置している。
【００２７】
以上のような構成において、レンジで調理するとき、例えば湯沸し等の調理で汚染空気の発生が少なくて拡散が少ない時は、前面パネル１１を閉じ、スイッチ操作部１９により換気装置１を運転する。前面パネル１１を閉じると、前面パネル１１の下部が仕切板１４の下辺にあたり、仕切板１４の下辺を押す力が加わるので、回転軸Ｂ１５により仕切板１４が回動して立ち上がり、前面パネル１１と重さなった状態となる（図１（ａ）の正面図右半分において、前面パネル１１が閉じた状態を図示し、また図１（ｂ）に破線で図示する）。
【００２８】
仕切板１４が回動して立ち上がると、第二の風路１８が形成されなくなるので、第一の風路８の吸込面はフード本体２の下部開口部３全てとなる。したがって、フード本体２の下方にあるレンジから調理で発生した汚染空気はその量も少なく、フード本体２内での拡散が少なく、レンジ上方に設けられたフード本体２の下部開口部３で捕集され、フード本体２から漏れることなく排気用ファン６によって吸引されて、排気ダクト１０により屋外に排出される。
【００２９】
そして、レンジで調理するときに汚染空気の発生が多くて拡散が大きい場合には、前面パネル１１を前方に開いて、スイッチ操作部１９により換気装置１を運転する。前面パネル１１を前方に開くと前面パネル１１の下部が仕切板１４から外れ、仕切板１４は前面パネル１１の支えをなくし、自重またはバネ力（図記載せず）で回転軸Ｂ１５を中心に回動してフード本体２の内側に倒れ、ストッパー１６に当って保持され第二の風路１８が形成される。
【００３０】
グリスフィルター７は油煙を捕集する機構が通風抵抗となり、通風面では吸込風速が均一化されているので、第一の風路８の風量と第二の風路１８の風量は、仕切板１４がグリスフィルター７の近傍に倒れることで、グリスフィルター７の第一構成面７ａと第二構成面７ｂの通風面積比に概ね分割される。よって、仕切板１４が倒れてフード本体２内に構成された第二の風路１８は、前面パネル１１が開いているので、前記風量で前面パネル１１の下側から汚染空気を吸いこむ。
【００３１】
上記構成と動作によれば、前面パネル１１を開くと、第一の風路８の吸込面であるフード本体２の下部開口部３よりも前方に第二の風路１８の吸込面が形成されるので、全体の吸込面が拡大する。そして、仕切板１４が第一の風路８と第二の風路１８とに分断しているので、第二の風路１８を通してフード本体２前方の前面パネル１１が張り出し拡大した吸込域でもグリスフィルター７の第二構成面７ｂでの吸込風速にくらべて吸込風速が低下せず、汚染空気を吸い込むので、捕集性能が上げる。
【００３２】
よって、レンジで調理するときに汚染空気の発生が多く、その拡散が大きくても、レンジ上方に設けられたフード本体２の下部開口部３と開けられた前面パネル１１の下側の拡大した面で汚染空気が捕集され、汚染空気がフード本体２外に漏れないという効果を得ることができる。
【００３３】
また、前面パネル１１を開けたときにフード本体２の前面と前面パネル１１の両側端に生じる隙間を覆う側板１３が、この隙間から汚染空気が漏れることを防止する（請求項３）。
【００３４】
なお、前面パネル１１を前方に倒してレンジから発生する多くの汚染空気を排気するときに、ファン回転数を上げ排気風量をさらに増やすようにすれば、吸込面積が増えるとともに排気量も増えるので、より捕集性能が上げる。
【００３５】
また、グリスフィルター７をラスメタルとしたが、フィルター部の吸込面風速を均一化させるものであればラスメタルでなくともパンチングメタルその他のものでも構わないし、フィルターの第一構成面と第二構成面の通風圧損をかえてもよい。さらに、本体フードの形状と排気用ファンの配置位置と仕切板との構成により、例えばファン吸込口近傍に仕切板が倒れて第二の風路の風量が低下しないのであれば、フィルターがなくても所期の目的は達成される。
【００３６】
（実施の形態２）
以下、本発明の実施の形態２について、図面を参照しながら説明する。
【００３７】
なお、実施の形態１の構成と同一の構成については、同一の符号を参照し、その説明を簡略化する。図２は、本発明の換気装置の前面パネル１１と仕切板１４の取付模式図である。
【００３８】
図２に示すように、前面パネル１１は、耐熱ガラス等の材料の透明板２０で作られ、透明板２０の周りにはステンレス等の金属枠２１が設けてある。そして、前面パネル１１のロック手段として、金属枠２１の両側面には係止用孔２２と、フード本体２に前記係止用孔２２にはまるように半球状に前面パネル１１側に突き出した形状の係止ダボ２３とを形成している。また、前面パネル１１の金属枠２１の下部にパネル開閉用取手部分として断熱材料のパネル開閉用取手２４を設け、前面パネル１１の回転軸Ａ１２にはゴムパッキン２５を挟んでフード本体２に軸止し、前面パネル１１の開閉をフリーストップできるようにしている。
【００３９】
仕切板１４の下辺には樹脂等の衝撃に強い材質の当て板２６が設けてあり、仕切板１４の回転軸Ｂ１５により、フード本体２の下部開口部３の内周枠２７に設けた仕切板取付孔に開閉自在に軸止している。そして、ストッパー１６は円柱形状であり、フード本体２の下部開口部３の内周枠２７に係合する溝２８が形成されていて、この溝２８を内周枠２７に嵌めて取付けている。
【００４０】
以上のような構成において、前面パネル１１が開いて、調理者からレンジ部への目線を前面パネル１１が遮っても、透明板２０が目線を透過させ、例えばレンジ部にある鍋の中の調理状態を確認できるという効果も得られる（請求項４）。
【００４１】
また、前面パネル１１を閉じた時、係止用孔２２が係止ダボ２３に勘合し、前面パネル１１が確実にフード本体２に固定されてロックされ、排気用ファン６の振動によるガタツキ音を無くすという効果が得られる（請求項５）。
【００４２】
また、調理時に発生する熱で加熱され高温になった前面パネル１１の開閉は断熱材料のパネル開閉用取手２４で行うことで、安全に開閉動作を行うことができるという効果も得られる。
【００４３】
そして、ストッパー１６はフード本体２の下部開口部３の内周枠２７の上端を溝２８によって前後に移動するので、緩衝を兼ねたストッパー１６の位置によって仕切板１４の傾きが変わり、第二の風路１８の通風断面積が可変となるので、第二の風路１８に導入する風量を調節することができ、調理形態に合わせて汚染空気の捕集性能を調整できるという効果を有する（請求項７）。
【００４４】
なお、前面パネル１１の開閉を自在とするためゴムパッキン２５の摩擦を利用したが、回転軸Ａにオイルギアなどを利用しても良い。
【００４５】
（実施の形態３）
以下、本発明の実施の形態３について、図面を参照しながら説明する。
【００４６】
なお、実施の形態１の構成と同一の構成については、同一の符号を参照し、その説明を簡略化する。
【００４７】
図３において、フード本体２の天面３０前側にフード本体２の内部に連通する副吸込口３１を設け、フード本体２の上方前側から副吸込口３１からグリスフィルター７を介して吸込口５に至る第三の風路３２を形成している。
【００４８】
上記構成において、スイッチ操作部１９により換気装置１を運転すると、汚染空気がフード本体２から漏れても、その煙はフード本体２の前面に沿って上昇し、このフード本体２の天面３０の前側にある副吸込口３１から排気用ファン６が第三の風路３２によって吸引し、排気用ファン６の吐出部に接続した排気ダクト１０により屋外へと排気されるので、汚染空気がフード本体２外に漏れないという効果を得ることができる。この副吸込口３１は、前面パネル１１を閉めていて汚染空気を捕集しきれなかったときに有用である。
【産業上の利用可能性】
【００４９】
本発明にかかる換気装置は台所のレンジで調理時に発生する油煙や蒸気、排気ガス等の汚染空気を効率良く捕集し、屋外へ排気することができるものであるので、住宅の台所に設けられる換気装置等に有用である。
【符号の説明】
【００５０】
１    換気装置
２    フード本体
３    下部開口部
４    前部開口部
５    吸込口
６    排気用ファン
７    グリスフィルター
１１  前面パネル
１３  側板
１４  仕切板
１６  ストッパー
１８  第二の風路
２０  透明板
２２  係止用孔
２３  係止ダボ
２４  パネル開閉用取手
３１  副吸込口
【図１】
2011085362.tif 000003
【図２】
2011085362.tif 000004
【図３】
2011085362.tif 000005
【図４】
2011085362.tif 000006